(57)【要約】  イメージングレンズアセンブリ（９、５、６、７）、ＬＥＤ光源（１）と放熱アセンブリ（２、３、４）を備えるグラフェン知能的接続ＬＥＤヘッドランプであって、イメージングレンズアセンブリ（９、５、６、７）がＬＥＤ光源（１）に接続され、ＬＥＤ光源（１）が放熱アセンブリ（２、３、４）に接続されている。ヘッドランプは光源の配光方式を変え、即ち、リフレクターによる光伝送という配光方式からイメージング式配光という光伝送方式に変えることにより、光伝送効率を３０％以上向上させた。さらに、このヘッドランプ内にグラフェン放熱材料を用いて放熱して、ランプの放熱能力をよりよく上げることができ、ヘッドランプの動作寿命を長くすることができる。【選択図】図１
2020527286.tif 000002
【特許請求の範囲】
【請求項１】
イメージングレンズアセンブリと、ＬＥＤ光源と、放熱アセンブリとを備え、前記イメージングレンズアセンブリがＬＥＤ光源に接続され、前記ＬＥＤ光源が放熱アセンブリに接続され、放熱アセンブリによってＬＥＤ光源の熱量を放出し、イメージングレンズアセンブリがＬＥＤ光源の光線を変え、前記イメージングレンズアセンブリによる光線の光伝送方式がイメージングによる水平的な光伝送であることを特徴とする、グラフェン知能的接続ＬＥＤヘッドランプ。
【請求項２】
前記グラフェン知能的接続ＬＥＤヘッドランプはリフレクターアセンブリを具備していないことを特徴とする、請求項１に記載のグラフェン知能的接続ＬＥＤヘッドランプ。
【請求項３】
前記放熱アセンブリは超熱伝導ベイパーチャンバー、ラジエーターおよびグラフェン熱伝導性接着剤を含むことを特徴とする、請求項１または２に記載のグラフェン知能的接続ＬＥＤヘッドランプ。
【請求項４】
前記グラフェン熱伝導性接着剤が超熱伝導ベイパーチャンバーに接続され、前記グラフェン熱伝導性接着剤がＬＥＤ光源に貼り合せられていることを特徴とする、請求項１〜３に記載のグラフェン知能的接続ＬＥＤヘッドランプ。
【請求項５】
前記超熱伝導ベイパーチャンバー中の動作液体がグラフェン相変化複合材料であることを特徴とする、請求項１〜４に記載のグラフェン知能的接続ＬＥＤヘッドランプ。
【請求項６】
前記ラジエーターの外面にグラフェン放熱材料が塗布されていることを特徴とする、請求項１〜５に記載のグラフェン知能的接続ＬＥＤヘッドランプ。
【請求項７】
前記イメージングレンズアセンブリは蛍光体セラミックス、一次配光レンズ、光ミキサーおよび二次配光レンズを含むことを特徴とする、請求項１〜６に記載のグラフェン知能的接続ＬＥＤヘッドランプ。
【請求項８】
前記蛍光体セラミックスはＬＥＤ光源の前方に設けられ、前記光ミキサーは蛍光体セラミックスに隣接して設けられ、前記一次配光レンズは光ミキサーに隣接して設けられていることを特徴とする、請求項１〜７に記載のグラフェン知能的接続ＬＥＤヘッドランプ。
【請求項９】
蛍光体セラミックス、一次配光レンズ、光ミキサーおよび二次配光レンズを含むイメージングレンズアセンブリのヘッドランプ製造における使用。
【請求項１０】
放熱アセンブリ超熱伝導ベイパーチャンバー、ラジエーターおよびグラフェン熱伝導性接着剤を含む放熱アセンブリのヘッドランプ製造における放熱アセンブリ使用。
【発明の詳細な説明】
【技術分野】
【０００１】
本発明は自動車部品技術分野に属し、具体的に、グラフェン知能的接続ＬＥＤヘッドランプに関する。
【背景技術】
【０００２】
自動車ヘッドランプの技術発展は灯油ヘッドランプ時代、アセチレンヘッドランプ時代、ハロゲンヘッドランプ時代、キセノンヘッドランプ時代とＬＥＤヘッドランプ時代を経ている。近年では、自動車安全性、照明安定性需要の増加、省エネ・排出削減という社会理念の普及、及び自動車外観品質需要の増加につれ、高電力発光ダイオード（ＬＥＤ）は起動時間が短く、動作寿命が長く、発光効率が高く、集積が易いなどの利点で、自動車照明領域に巨大な潜在力を徐々に示しており、ハロゲンランプの代わりにＬＥＤランプは自動車照明領域の最も使われているものになる。
【０００３】
自動車照明は主に自動車照明ランプ（ヘッドランプ、フォグランプ、ライセンスプレートランプ、インストルメントパネルランプ、トップランプ、作業ランプなど）と自動車信号ランプ（ターンシグナルランプ、警告ランプ、クリアランスランプ、テールランプ、ストップランプ、バックアップランプなど）を含んでいる。ＬＥＤを信号ランプ（位置ランプ、ストップランプ、ターンシグナルランプ、昼間運転ランプ）として応用するのは極めて普及している。業界の需要が日増しに更新していくにつれて、ＬＥＤをフロントフォグランプ、ハイ・ロービームランプ（ヘッドランプ）などの自動車の照明機能光源とすることは早急に解決すべきである。全般照明は価格競争で「レッドオーシャン」になった上で、ＬＥＤ自動車照明は既に最も人気のある「ブルーオーシャン市場」になってしまう。Ｙｏｌｅ  Ｄｅｖｅｌｏｐｐｅｍｅｎｔは、２０２１年前まで、全世界自動車照明市場が２７７億ドルの市場規模に達し、年複利成長率（ＣＡＧＲ）が２３．７％になるとの見通しを明らかにした。
【０００４】
世界的に有名なオスラム、豊田合成、小糸、Ｌｕｍｉｌｅｄｓ、科鋭（ｃｒｅｅ）などのメーカは、前世紀９０年代にもＬＥＤの開発を始めた。近年ではさらに巨大な投資で開発して、完備した車両ＬＥＤ光源シリーズ製品生産システムを形成している。特に、ヘッドランプのハイ・ロービームに対して用いられるマルチチップ集積ＬＥＤ光源製品を開発しており、発光効率、熱抵抗、耐熱、静電気防止及び製品の一貫性などにおいて、技術的に優れている。十分な技術実力によって製品を応用し、技術サービスを拡張し、ヘッドランプＬＥＤ光源配光の光学設計追跡を提供する基礎データを持ち、ＬＥＤ光学ソリューション、放熱ソリューション、駆動ソリューションを提供する方面においても、高いレベルに達している。
【０００５】
最近、自動車ヘッドランプの産出額は年々増加しており、２０１５年には２７億元、２０１６年には３５億元に達し、今までは、２０１７年の産出額は既に４０億元に達してしまい、成長が激しい。各種自動車のヘッドランプの類型比率から見れば、今ＬＥＤランプの比率はただ５％にすぎないが、ＬＥＤランプがグリーン、環境保全、省エネであるため、２０２０年まで、ＬＥＤランプは自動車ヘッドランプ市場で２０％を超えるという見込みがある。
【０００６】
現在では、ＬＥＤランプは自動車ヘッドランプ市場に迅速に入り、主に２つの方向に分けている。１．自動車純正装備品市場（ｆａｃｔｏｒｙ−ｉｎｓｔａｌｌｅｄ  ｐｒｏｄｕｃｔｓ）、出荷前にＬＥＤヘッドランプアセンブリを取り付ける。２．アフターマーケット市場（ａｆｔｅｒｍａｒｋｅｔ ｉｎｓｔａｌｌｅｄ ｐｒｏｄｕｃｔｓ）、即ち改装市場、元のハロゲンランプの電球、キセノンランプの電球を取り外して、ＬＥＤヘッドランプに換える。
【０００７】
自動車純正装備品ＬＥＤヘッドランプアセンブリは、要求が厳しいため技術開発能力のあるメーカーだけが設計・生産・販売している。一方、自動車アフターマーケット市場は完全な管理体制が形成されておらず、技術プラットフォームが低いため、中国では、９６％以上のＬＥＤランプ生産企業がＬＥＤヘッドランプアフターマーケット市場に入り、品質が不揃いで、玉石混淆になる。
【０００８】
現在では、アフターマーケット車両用ＬＥＤ光源モジュールは１つ或いは多数のＬＥＤチップ、機械と光学部材及び駆動モジュール、コネクター、ラジエーターなどを含み、集積度が高い。
【０００９】
図１に示されるように、市販されているほとんどのアフターマーケットＬＥＤヘッドランプは主にリフレクターａ、ＬＥＤ光源ｂ、ラジエーターｃ、ファンｄ、電磁弁シャッターｅおよび配光レンズｆを備えている。
【００１０】
このようなヘッドランプはたくさんの欠点がある。１．寿命が短い。ファンで主動的に放熱するため、ファンが壊れると、ＬＥＤがすぐに切れてしまう。２．光伝送効率が低い。横方向放熱は放熱への要求が高いので、このようなランプのＬＥＤは水平放置方式を採用するようになり、これによって、配光方式は反射集光＋バッフル板にしかできないため、光伝送効率が低くなり、平均でただ４０％にすぎない。図２の通りである。３．光減衰が大きい。このようなランプの放熱能力が足りなく光伝送効率が低いため、必要な光束を得るために電力を上げるしかない。ＬＥＤが高負荷で動作する時に発熱量が急に大きくなり、蛍光粉末の老化速度が速くなるため、大きい光減衰となる。
【発明の概要】
【００１１】
以上の課題に鑑み、本発明はグラフェン知能的接続ＬＥＤヘッドランプを提供する。ＬＥＤヘッドランプの構造を変えて光源の配光方式を変える。リフレクターによる光伝送という配光方式からイメージング式配光という光伝送方式に変えて、光伝送効率を３０％以上向上させた。さらに、このヘッドランプ内にグラフェン放熱材料を用いて放熱して、ランプの放熱能力をよりよく上げることができ、ヘッドランプの動作寿命を長くすることができる。
これに基づき、本発明はイメージングレンズアセンブリ、ＬＥＤ光源と放熱アセンブリを備えるグラフェン知能的接続ＬＥＤヘッドランプを提供する。前記イメージングレンズアセンブリがＬＥＤ光源に接続され、前記ＬＥＤ光源が放熱アセンブリに接続され、放熱アセンブリによってＬＥＤ光源の熱量を放出し、イメージングレンズアセンブリがＬＥＤ光源の光線を変え、イメージングレンズアセンブリによって光線の光伝送方式がイメージング式水平光伝送となる。
前記グラフェン知能的接続ＬＥＤヘッドランプはリフレクターアセンブリを含んでいない。
【００１２】
前記放熱アセンブリは超熱伝導ベイパーチャンバー、ラジエーターおよびグラフェン熱伝導性接着剤を含む。
【００１３】
前記グラフェン熱伝導性接着剤が超熱伝導ベイパーチャンバーに接続され、前記グラフェン熱伝導性接着剤がＬＥＤ光源に貼り合せられている。
【００１４】
前記超熱伝導ベイパーチャンバー中の動作液体がグラフェン相変化複合材料である。
【００１５】
前記ラジエーターの外面にグラフェン放熱材料が塗布されている。
【００１６】
前記イメージングレンズアセンブリは蛍光体セラミックス、一次配光レンズ、光ミキサーおよび二次配光レンズを含む。
【００１７】
前記蛍光体セラミックスはＬＥＤ光源の前方に設けられ、前記光ミキサーは蛍光体セラミックスに隣接して設けられ、前記一次配光レンズは光ミキサーに隣接して設けられている。
【００１８】
有益な技術効果
本発明に提供されるグラフェン知能的接続ＬＥＤヘッドランプは、ＬＥＤヘッドランプの構造を変えて光源の配光方式を変える。リフレクターによる光伝送という配光方式からイメージング式配光という光伝送方式に変えて、光伝送効率を３０％以上向上させた。さらに、このヘッドランプ内にグラフェン放熱材料を用いて放熱して、ランプの放熱能力をよりよく上げることができ、ヘッドランプの動作寿命を長くすることができる。
【図面の簡単な説明】
【００１９】
【図１】図１は従来のヘッドランプの構造模式図である。
【図２】図２は従来のヘッドランプの光線方式である。
【図３】図３は本発明のグラフェン知能的接続ＬＥＤヘッドランプの構造模式図である。
【図４】図４は本発明のグラフェン知能的接続ＬＥＤヘッドランプのイメージングレンズアセンブリの構造模式図である。
【発明を実施するための形態】
【００２０】
本発明に提供されるＬＥＤヘッドランプはイメージングレンズアセンブリ、ＬＥＤ光源、超熱伝導ベイパーチャンバー、ラジエーターおよびグラフェン熱伝導性接着剤を含んでいる。グラフェン材料の非常に優れる放熱性能が提出されるにつれて、本発明はＬＥＤヘッドランプの構造を変えることを試みることによって、その光源の配光方式を変えて、リフレクターによる光伝送という配光方式からイメージング式配光という光伝送方式に変えて、光伝送効率を３０％以上向上させるとともに、ヘッドランプの動作寿命を大幅に長くした。
【００２１】
伝統のＬＥＤヘッドランプに対し、本発明に提供されるＬＥＤヘッドランプはリフレクターを放棄し、イメージング式光伝送方式を採用して、直接に水平的に光伝送し、光伝送効率を最大限に向上させた。
【００２２】
前記イメージングレンズアセンブリは蛍光体セラミックス、一次配光レンズ、光ミキサー、二次配光レンズからなる。前記蛍光体セラミックスはＬＥＤ光源の前方に設けられており、ＬＥＤ光源の青い光をセラミックス蛍光粉に照射して白い光に換える役割を果たしている。蛍光体セラミックスは高温の下で光減衰がない。前記光ミキサーは蛍光体セラミックスに隣接して設けられており、ＬＥＤ光源から出射された光を均一に混ぜる役割を果たし、光の品質をさらに上げている。光ミキサーの一面は軽くオレンジピール構造にされており、表面に反射膜がメッキされ、両端に反射防止膜がメッキされ、さらに均一に混ぜた後に光ミキサーの前部によって光を発する。光ミキサーの前端にはカットオフラインが設置されている。光ミキサーは二つがあり、それぞれハイビーム用のものとロービーム用のものである。前記一次配光レンズは光ミキサーに隣接して設けられ、光を集めて光伝送効率を向上させ、高屈折率の材質により設置されている。前記二次配光レンズは一次配光レンズとは異なる材質を採用し、かつイメージング効果を実現する。
【００２３】
イメージングレンズ組はＬＥＤ光源に接続され、ＬＥＤ光源から出射された光を水平光に保ち、相対的に集中し、光が分散されることがない。伝統のリフレクターをもつＬＥＤヘッドランプに対して、イメージングレンズ群は配光・光伝送方式を変換し、リフレクターの反射ルートによる光伝送効率の低減を避けることができ、このような水平的な光伝送は光伝送効率を３０％向上させた。
【００２４】
ヘッドランプの全体の体積が小さくて、内部空間が相対的に圧縮されたので、ファンによる空気の対流を通じて熱量を持っていくしかできない。ファンを採用するには以下の問題点がある。１．ファンが動作不良または損壊する場合に、動作時の熱量が蓄積し続けると、内部温度が上がるため光源が暗くなり、或いは直接に電球が切れてしまう。２．ファンの設計。一部のエネルギー消費が増えており、これに対し、ファンの付帯部材、例えばファン固定部材が、体積を増加させる一方で、全体の重量も相応的に大きくした。この問題に対して、本発明はファンの使用を放棄した。その代わりに、グラフェン材質を含むベイパーチャンバーとラジエーターを採用した。
【００２５】
本発明のＬＥＤ光源はグラフェン熱伝導性接着剤に貼り合せられている。グラフェン熱伝導性接着剤は高い熱伝導係数を有し、ＬＥＤ光源の熱伝導をよりよく実現できる。しかも、このようなグラフェン熱伝導性接着剤は伝統のシリコーングリースより寿命が３倍も増えた。
【００２６】
前記グラフェン熱伝導性接着剤は市販されているいかなる種類のグラフェンで製造される熱伝導性接着剤を採用してよく、好ましくは出願人が先行の出願ＣＮ２０１２１０１１９３６１．９に言及されたグラフェン熱伝導性接着剤を使用し、ここで詳述を略する。
【００２７】
前記グラフェン熱伝導性接着剤は超熱伝導ベイパーチャンバーに接続されており、この超熱伝導ベイパーチャンバーは熱容量密度を増やし、昇温を緩やかにすることができる。
【００２８】
前記超熱伝導ベイパーチャンバーの内部は中空構造となっており、主に底板（蒸発区域）と上部カバー（凝縮区域）からなり、底板と上部カバーの間に中空となっている。前記底板と前記上部カバーの内部には液体回流の毛細管力を提供するための毛細管構造を有し、凝縮区域から蒸発区域への液体回流の流動を提供するためである。前記ベイパーチャンバー内には少量の作動液体を含み、作動液体は蒸発区域にある。
【００２９】
容器内の低真空のため、作動媒体（作動液体）は非常に沸騰現象を起こしやすい。その作動原理とは、密閉容器内の作動液体が吸熱してからすぐに蒸気となり、蒸気の圧力によって蒸気を凝縮区域に推し進め、作動媒体の相変化潜熱で熱を伝導し、蒸気が外部の凝縮にあったりしたときに熱量を放出して液体となり、毛細管構造を介して液体を蒸発区域に回流させて、熱交換過程の循環を再び行い始める、ということである。
【００３０】
超熱伝導ベイパーチャンバーの容器材質は主に無酸素銅Ｃ１０２０である。作動媒体液体はグラフェン相変化複合材料、水、メチルアルコールとアセトン、パラフィンなどの熱伝導可能な材料のいずれでもよく、好ましくはグラフェン相変化複合材料であり、市販されているグラフェン相変化複合材料のいずれも採用することができ、好ましくは出願人が先に出願した特許ＣＮ２０１３１０７１４１５６．１に開示されたグラフェン複合相変化材料であり、ここで詳述を略する。該材料は蓄熱材料であり、ベイパーチャンバーにはこのグラフェン相変化材料が注入されている。これは固−液、液−固という物理的変換の相変化複合材料である。該物理変化過程には熱容量を増やし潜熱蓄熱を実現して、光源をある設計温度範囲内にし、グラフェンラジエーターと組み合わせて、ファンの機能性を徹底的に超えている。これはファンを取り除くための代替構造の一つである。光源チップが自主的に作動電流を減じて、輝度を小さくし、さらに直接に「電球が切れてしまい」のような温度影響のため行ったセルフプロテクトを最大限に低減し、光源が安定かつ継続的に発光することが確保されて、イメージング後の光をより安定にすることができる。
【００３１】
前記毛細管構造は銅粉または銅線メッシュを焼結して得られる。超熱伝導ベイパーチャンバーの形状は平面であってよく、三次元にしてもよい。
【００３２】
前記ＬＥＤ光源、前記グラフェン熱伝導性接着剤及び前記超熱伝導ベイパーチャンバーはラジエーターのハウジング内に配置されている。光源の発光で生じた熱をラジエーターに伝導して、ラジエーターによってＬＥＤヘッドランプの放熱を実現する。
【００３３】
前記ラジエーターの外面にグラフェンコーティングを塗装しており、このグラフェンコーティングは熱放射率を増やし、放熱効果を向上させることができる。さらに、艶消しスプレーという方式でラジエータの外面にスプレーして放熱面積を増加させる。前記グラフェンコーティングはいずれのグラフェン材料コーティングでもよく、好ましくは出願人が前に出願した特許ＣＮ２０１３１００８９５０４．０に開示されたＲＬＣＰグラフェンフッ素樹脂複合材料コーティングであり、ここで詳述を略する。
【００３４】
伝統のリフレクターをもつＬＥＤヘッドランプに対し、本発明のＬＥＤヘッドランプのイメージング式配光方式を採用すると光伝送効率が８５％に達している。伝統のリフレクターヘッドランプを採用するなら、光源はまず「二次媒体」のリフレクターを経て、光源を調和してから出射し、リフレクターの表面平滑性の技術が確保できないため二次調和後の光拡散反射がひどくなり、そこで、光が不均一でかつ光反射がひどく、通行人や他の車両に光害をもたらした。しかし、イメージング式配光方式の光出射はより均一で光害が小さいとされる。
【００３５】
以下、実施例及び図面を用いて本発明の実施形態を詳細に説明する。これによれば、本発明は如何に技術手段を利用して課題を解決し、ひいては技術の効果を達成するかという実施の過程に関して、十分に理解し、よって実施することができる。
【００３６】
実施例１
図３に示す通り、本発明に提供されるグラフェン知能的接続ＬＥＤヘッドランプはイメージングレンズアセンブリ、ＬＥＤ光源１及び放熱アセンブリを含む。そのうち、放熱アセンブリは超熱伝導ベイパーチャンバー２、ラジエーター３及びグラフェングラフェン熱伝導性接着剤４を備える。イメージングレンズアセンブリはＬＥＤ光源１と接続され、ＬＥＤ光源１はグラフェングラフェン熱伝導性接着剤４に貼り合せられ、グラフェングラフェン熱伝導性接着剤４は特許出願ＣＮ２０１２１０１１９３６１．９に開示されたものであり、前記グラフェングラフェン熱伝導性接着剤４はグラフェン材料で製造される超熱伝導ベイパーチャンバー２に接続され、該超熱伝導ベイパーチャンバー２は熱容量密度を増やし、昇温を緩やかにすることができる。
前記超熱伝導ベイパーチャンバーの内部は中空構造となっており、底板（蒸発区域）と上部カバー（凝縮区域）からなり、前記底板と上部カバーはアルミニウム板或いはアルミニウム合金板である。底板と上部カバーの間に中空となっている。前記底板と前記上部カバーの内部には液体回流の毛細管力を提供するための数多くの毛細管構造を有し、凝縮区域から蒸発区域への液体回流の流動を提供するためである。前記ベイパーチャンバー内には少量の作動液体を含み、作動液体は蒸発区域にある。前記作動液体は特許出願ＣＮ２０１３１０７１４１５６．１に開示されたグラフェン複合相変化材料を採用している。即ち、採用した添加物成分及びそれらの質量比は下記にある。カーボンナノチューブ、グラフェン、粒状物質、ヒュームドシリカの質量比は１：１０：８：１であり、添加物全体と相変化材料の質量比は１：４である。そのうち、前記カーボンナノチューブの純度≧９５ｗｔ％、灰分≦０．２ｗｔ％、前記粒状物質は酸化アルミニウム（Ａｌ2Ｏ3）であり、平均粒子径は１０μｍとし、前記相変化材料はパラフィンであり、相変化温度は７０℃である。製造方法：パラフィンを完全に溶けるまで加熱し、また質量比が１：１０：８のカーボンナノチューブ、グラフェンと粒状物をパラフィン溶解液に入れて混合し、均一まで攪拌し、それから必要な質量のヒュームドシリカを緩やかに加え、続いて均一まで攪拌し、冷却してから最終の新型相変化材料が得られる。
前記ＬＥＤ光源１、前記グラフェン熱伝導性接着剤４、及び前記グラフェン材料で製造される超熱伝導ベイパーチャンバー２はラジエータ３のハウジング内に配置されている。光源の発光で生じた熱をラジエーターに伝導して、ラジエーターによってＬＥＤヘッドランプの放熱を実現してくる。前記ラジエーター３の外面にグラフェンコーティングを塗装しており、前記グラフェンコーティングは特許ＣＮ２０１３１００８９５０４．０に開示されたＲＬＣＰグラフェンフッ素樹脂複合材料コーティングを採用している。
図３と図４に示す通り、前記イメージングレンズアセンブリは蛍光体透明セラミックス９、光ミキサー５、一次配光レンズ６および二次配光レンズ７を含む。前記蛍光体透明セラミックス９はＬＥＤ光源１の前方に設けられ、ＬＥＤ光源１の青い光を白い光に換える役割を果たしており、蛍光体透明セラミックス９は高温の下で光減衰がない。前記光ミキサー５は蛍光体セラミックスに隣接して設けられており、ＬＥＤ光源から出射された光を均一に混ぜる役割を果たし、光の品質をさらに上げている。光ミキサー５の一面は軽くオレンジピール構造にされており、表面に反射膜がメッキされ、両端に反射防止膜がメッキされ、さらに均一に混ぜた後に光ミキサーの前部によって光を発する。光ミキサーの前端にはカットオフラインが設置されている。光ミキサーは二つがあり、それぞれハイビーム用のものとロービーム用のものである。前記一次配光レンズ６は光ミキサーに隣接して設けられ、光を集めて光伝送効率を向上させ、高屈折率の材質によりで設置されている。前記二次配光レンズ７は一次配光レンズとは異なる材質を採用し、かつイメージング効果を実現する。二次配光レンズの外部にはレンズ締め付けリング８が設けられている。
本発明に提供されるグラフェン知能的接続は複数のグラフェン放熱技術を採用しているため、３００００時間の正常作動寿命を確保することができ、これに対し、伝統のハロゲンランプはただ５００時間にすぎない。
【００３７】
実施例２
本実施例におけるグラフェン知能的接続ＬＥＤヘッドランプが実施例１に対する相違は、グラフェン熱伝導性接着剤４を含まず、ＬＥＤ光源１が超熱伝導ベイパーチャンバーと直接に貼り合せられている、ということだけである。
【００３８】
実施例３
本実施例におけるグラフェン知能的接続ＬＥＤヘッドランプが実施例１に対する相違は、超熱伝導ベイパーチャンバー２を含まないことだけである。
【００３９】
光スペクトルアナライザー（アメリカＮｉｔｏｎ）で色温度を測定し、配光測定器（杭州虹普）で光束を測定し、電気メーターで消費電力を測定する。
【００４０】
本発明のグラフェン知能的接続ＬＥＤヘッドランプの効果を検証するために、４００組の試験物を設置し、それぞれハロゲンヘッドランプ、キセノンヘッドランプ、一般ＬＥＤヘッドランプと本発明に提供されるグラフェン知的接続ＬＥＤヘッドランプである。同じ使用環境となるようにコントロールした上で、１０時間点灯させてデータを得て、その結果は表１を参照する。
【００４１】
【表１】
2020527286.tif 000003
【００４２】
データから分かるように、本発明が提供した知能的接続ＬＥＤヘッドランプの電力は他のランプより半分以上低くなっている。ただし、光束、光伝送効率などにおいては、完全に代替でき、さらに超えている。そして、エネルギー消耗も相応的に大きく低減されている。
【００４３】
光束が同じである場合に、本発明に提供されるグラフェンヘッドランプの電力は低くすることができ、ランプ温度への影響が少なく、寿命が長く、エネルギー消耗も相対的に低減されている。つまり、低電力であるが高電力の効果を得られ、さらに高電力のランプより優れている。改良後のヘッドランプは省エネ性により優れており、より安全でかつ寿命が長いことが示されている。
【００４４】
上記のすべてはその主要作用が本知的財産を実施することにあり、本新製品及び／又は新方法を実施する他の形態を制限する意図設定がない。本分野の当業者は本重要情報を利用して、上記内容を修正したりして、類似的な実行を実現することがある。しかし、本発明新製品に基づくすべての修正又は改造は本発明特許請求の範囲に属する。
【００４５】
以上の記載は、本発明の好ましい実施例にすぎなく、本発明に対して他の形態を制限するものであらず、本専門の技術に詳しい何らかの者であれば、上記に披露した技術内容を利用して、変更や改変型するなどして均等的変形の等効果実施をする可能性があるが、本発明の技術案の内容を超えないものであれば、本発明の技術的実質に基づき以上の実施例に対する何らかの簡単な修正、均等的変形、及び改変型は、依然として本発明技術案にかかる保護の範囲に属する。
【先行技術文献】
【特許文献】
【００４６】
【特許文献１】中国特許出願第２０１２１０１１９３６１．９号
【特許文献２】中国特許出願第２０１３１０７１４１５６．１号
【特許文献３】中国特許出願第２０１３１００８９５０４．０号
【図１】
2020527286.tif 000004
【図２】
2020527286.tif 000005
【図３】
2020527286.tif 000006
【図４】
2020527286.tif 000007
【国際調査報告】
2020527286.tif 000008
2020527286.tif 000009
2020527286.tif 000010
2020527286.tif 000011
2020527286.tif 000012
2020527286.tif 000013